(57)【要約】【課題】周囲の湿度環境に左右されず、常に良好な避雷機能を果たすことのできる避雷器を提供する。【解決手段】避雷器本体１２を収納する避雷器ハウジング１４の側壁には連通路１６を介して除湿器１８が接続されている。湿度制御部４６は、除湿器１８を避雷器ハウジング１４内に配置された湿度センサ４０の湿度検出結果に基づきオンオフ動作させ、避雷器ハウジング１４内の湿度を避雷器本体１２が正常に動作する所定の湿度、例えば５０％〜８５％に維持する。【選択図】    図１
2006127820.tif 000002
【特許請求の範囲】
【請求項１】
電子機器に接続されるケーブルと大地間に生じた電圧を検出し破壊エネルギーとなる電流を大地に流すと共に、破壊エネルギの処理後は、元の系統状態に自復する機能を有する素子を含む避雷器本体と、
前記避雷器本体を収納可能な避雷器ハウジングと、
前記避雷器ハウジング内の湿度を検出する湿度検出手段と、
前記避雷器ハウジング内の湿度を調整する湿度調整手段と、
前記湿度検出手段の検出結果に応じて前記湿度調整手段を制御し、前記避雷器ハウジング内の湿度を調節する湿度制御手段と、
前記湿度調整手段の動作時に開動作し前記避雷器ハウジング内の湿気を外部に排出させる開閉弁と、
を含むことを特徴とする避雷器。
【請求項２】
電子機器に接続されるケーブルと大地間に生じた電圧を検出し破壊エネルギーとなる電流を大地に流すと共に、破壊エネルギの処理後は、元の系統状態に自復する機能を有する素子を含む避雷器本体と、
前記避雷器本体を収納可能な避雷器ハウジングと、
前記避雷器ハウジング内の湿度を検出する湿度検出手段と、
前記避雷器ハウジング内の湿度を調整する湿度調整手段と、
前記湿度検出手段の検出結果に応じて前記湿度調整手段を制御し、前記避雷器ハウジング内の湿度を調節する湿度制御手段と、
を含み、
前記湿度調整手段は、前記避雷器ハウジングの側面に連通路を介して接続されていることを特徴とする避雷器。
【請求項３】
前記湿度調整手段は、前記避雷器ハウジング内の湿度を略５０％〜略８５％に調整することを特徴とする請求項１または請求項２記載の避雷器。
【請求項４】
前記避雷器ハウジングは、雷サージにより避雷器が動作したとき、当該避雷器ハウジング内の加圧状態を開放する開放弁を含むことを特徴とする請求項１から請求項３のいずれか一項に記載の避雷器。
【発明の詳細な説明】
【技術分野】
【０００１】
本発明は、避雷器、特に、周囲の湿度環境に左右されることなく良好に動作させることのできる避雷器の改良に関する。
【背景技術】
【０００２】
近年のエレクトロニクスの急速な発達に伴い、コンピュータに代表される半導体応用機器の普及がめざましい。これらの低電圧機器は、微弱電圧で動作しているので、雷のような非常に大きな電圧に対しては、致命的なダメージを受けてしまう場合が多い。そのため、低電圧機器の雷に対する対策は各機器の信頼性向上の上で大変重要である。
【０００３】
雷サージは、直撃雷と誘導雷に分かれ、直撃雷のエネルギーは非常に大きく、安全に建物内機器の保護を行うためには、例えば避雷針などを用いた防雷対策を行い、雷エネルギーの大半を処理し、残ったエネルギーを避雷器などで処理する必要がある。特に、各機器ごとにおける避雷器による対策は、水際でダメージを防ぐために欠かせない対策方法である。
【０００４】
従来の避雷器は、酸化亜鉛素子と放電機構および電極などで構成され、略密閉されたハウジング内に収納されている。そして、雷サージ等の異常電圧が発生した場合は、酸化亜鉛素子が低抵抗値を示して異常電圧を大地に逃がし、電力線などから異常電圧が消滅すると酸化亜鉛素子は高抵抗値に戻り、雷サージ処理後は元の正常な系統状態に自復し、通常の回路に何ら影響を与えないように動作する（例えば、特許文献１参照）。
【０００５】
ところで、上述のような酸化亜鉛素子を用いる避雷器は、避雷器本体部分である酸化亜鉛素子を密閉されたハウジングの中に収納した状態で構成している。このような避雷器は、雷サージ等の異常電圧が発生した場合、避雷器本体を収納するハウジング内部の空気が膨張するため放圧する必要がある。この放圧が良好に行われない場合、避雷器の動作時にハウジングが破損したり、その破片を周囲に飛散してしまう。そのため、ハウジングに放圧孔を設けたり、機密性の低いものを用いるなどの対策を行っている。
【特許文献１】特開平９−６３８０９号公報
【発明の開示】
【発明が解決しようとする課題】
【０００６】
しかし、上述のように、避雷器本体を収納するハウジングに放圧孔を設けたり、気密性の低いものを採用した場合、湿気を含む空気がハウジング内に侵入し内部で結露してしまう場合がある。ハウジング内部の湿度が高くなったり、内部で結露が生じた場合、十分な絶縁性の維持ができなくなり避雷器の性能を著しく低下させてしまうという問題がある。
【０００７】
特に、湿度の高い環境下で使用する電子機器に避雷器を利用する場合、湿度に対する配慮が重要となる。例えば、気象データを収集しようとする場合、このデータ収集は全世界的に行う必要があるが、雷の多い一部の地域だけ、雷サージにより測定器が故障しデータ取得に失敗した場合、問題が大きくなる。例えば、日本の場合、金沢地方は、落雷が多い上に降水量や積雪量が多いため、避雷器の湿度対策は十分に要求される。従来の避雷器は、「結露並びに相対湿度８５％以上では、動作を保証しない」というものが大半を占めているので、周囲の湿度環境に左右されず、常に良好な避雷機能を果たす避雷器が求められている。
【０００８】
そこで、本発明は、上述の状況に鑑みてなされたものであり、その目的は、周囲湿度環境に左右されず、常に良好な避雷機能を果たすことのできる避雷器を提供することにある。
【課題を解決するための手段】
【０００９】
本発明は、電子機器に接続されるケーブルと大地間に生じた電圧を検出し破壊エネルギーとなる電流を大地に流すと共に、破壊エネルギの処理後は、元の系統状態に自復する機能を有する素子を含む避雷器本体と、避雷器本体を収納可能な避雷器ハウジングと、避雷器ハウジング内の湿度を検出する湿度検出手段と、避雷器ハウジング内の湿度を調整する湿度調整手段と、湿度検出手段の検出結果に応じて湿度調整手段を制御し、避雷器ハウジング内の湿度を調節する湿度制御手段と、湿度調整手段の動作時に開動作し避雷器ハウジング内の湿気を外部に排出させる開閉弁と、を含むことを特徴とする。
【００１０】
ここで、開閉弁は、湿度制御手段が湿度調整手段を動作させたことを条件に、例えばモータなどで駆動するアクチュエータにより開動作を行うものを使用することができる。
【００１１】
この態様によれば、除湿制御手段により湿度調整手段、例えば除湿器が動作し、避雷器ハウジング内の除湿を行い、避雷器が正常に動作する最適湿度範囲に避雷器ハウジング内の空気の状態を維持することができる。また、開閉弁は湿度調整手段が動作しているときのみ開動作を行うため、湿度調整手段の非動作時に避雷器ハウジング内の湿度環境が悪化することを抑制することができる。
【００１２】
また、本発明は、電子機器に接続されるケーブルと大地間に生じた電圧を検出し破壊エネルギーとなる電流を大地に流すと共に、破壊エネルギの処理後は、元の系統状態に自復する機能を有する素子を含む避雷器本体と、避雷器本体を収納可能な避雷器ハウジングと、避雷器ハウジング内の湿度を検出する湿度検出手段と、避雷器ハウジング内の湿度を調整する湿度調整手段と、湿度検出手段の検出結果に応じて湿度調整手段を制御し、避雷器ハウジング内の湿度を調節する湿度制御手段と、を含み、湿度調整手段は、避雷器ハウジングの側面に連通路を介して接続されていることを特徴とする。
【００１３】
この態様によれば、湿度調整手段は、避雷器ハウジングの側面に連通路を介して接続されているので、避雷器の動作空間を低減させることなく、効率的に避雷器ハウジング内部の除湿を行うことができる。さらに、連通路を用いることで、湿度調整手段の非動作時には、避雷器ハウジング内部と湿度調整手段とを実質的に分離することが可能になり、避雷器ハウジングの湿度維持に寄与することができる。
【００１４】
また、上記構成において、湿度調整手段は、避雷器ハウジング内の湿度を略５０％〜略８５％に調整するようにすることが好適である。
【００１５】
この態様によれば、避雷器の避雷機能を良好に動作させることができる。
【００１６】
また、上記構成において、避雷器ハウジングは、雷サージにより避雷器が動作したとき、当該避雷器ハウジング内の加圧状態を開放する開放弁を含むようにすることができる。
【００１７】
ここで、開放弁は、例えばリターンスプリングなどの付勢手段により避雷器の非動作時には開放弁を避雷器ハウジングに付勢し、避雷器動作時のみ付勢手段の付勢力に逆らって開放弁を開くようなものでもよいし、避雷器の動作を検出してアクチュエータにより自動的に開閉動作する開放弁でもよい。
【００１８】
この態様によれば、避雷器の動作時に発生した避雷器ハウジング内の気体膨張を迅速に放圧することが可能となるので、湿度調整手段を気体膨張によるダメージから守ることがでできる。また、避雷器の非動作時には、開閉弁を閉じているので、避雷器ハウジング内の湿度の変動を抑制し、最適な湿度状態を維持することができる。
【発明の効果】
【００１９】
本発明によれば、除湿器の動作により避雷器ハウジングの内部の湿度状態を最適状態に制御することができるので、避雷器を使用する場所の湿度環境に左右されることなく良好に避雷器を動作させることができる。
【発明を実施するための最良の形態】
【００２０】
以下、本発明を実施するための最良の形態（以下、実施形態という）を、図面に基づいて説明する。
【００２１】
図１は、本実施形態の避雷器１０の構造を説明する概略構造図であり、避雷器１０を上面から見た場合の概略断面図である。本実施形態の避雷器１０は、避雷器本体１２を収納する避雷器ハウジング１４と、この避雷器ハウジング１４の側壁に複数の連通路１６を介して接続された湿度調整手段として機能する除湿器１８とで構成されている。
【００２２】
避雷器本体１２は、例えば、酸化亜鉛（ＺｎＯ）やマルチカーボン製の円盤形状の素子２０を複数枚、図１の場合１０枚の素子２０を、例えばフッ素樹脂などで構成される絶縁体２２を挟んで交互に積層配列して構成している。絶縁体２２は、例えば円盤形状であり、略中央部に貫通口２４が形成されている。避雷器１０に雷サージ等の異常電圧が発生した場合、絶縁体２２が放電ギャップとして機能する隔壁となる。したがって、異常電圧が発生した場合には、素子２０が低抵抗値を示して貫通口２４を介して電流が流れ異常電圧を大地に逃すことになる。また、電力線などから異常電圧が消滅すると素子２０は高抵抗値に戻り、雷サージ処理後は元の正常な系統状態に自復し、通常の回路に何ら影響を与えないように動作する。
【００２３】
素子２０と絶縁体２２で構成される積層体の両端には、電極２６，２８が接続されている。この電極２６，２８と、避雷器ハウジング１４の内壁面との間には、付勢部材として、例えば、スプリング３０が配置され、素子２０と絶縁体２２で構成される積層体を常時圧縮方向に付勢し、積層体の形状維持および積層体を避雷器ハウジング１４内の所定の位置に支持している。
【００２４】
電極２６には、Ｓ端子３２が接続されている。Ｓ端子３２は、避雷器１０を挿入したい電位の位置に接続する。通常、＋１００Ｖまたは＋２００Ｖの位置に接続する。また、電極２８には、Ｅ端子３４が接続されている。Ｅ端子３４はグランドに接続される。
【００２５】
避雷器ハウジング１４の一部には、避雷器本体１２が動作したときに避雷器ハウジング１４内で空気の膨張により発生した圧力を放圧するための開放弁３６が配置されている。図１の場合、Ｅ端子３４側に例えば２カ所配置されている。開放弁３６の構造に関しては、後述するが、避雷器１０の非動作時には、避雷器ハウジング１４を密閉状態を維持するように閉動作を行い、雷サージ等の異常電圧が発生し、避雷器１０が動作した場合に自動的に開動作するものである。つまり、雷サージ等により避雷器ハウジング１４内の温度が上昇し内部空気の膨張が発生した場合に、この空気の膨張力により開放弁３６が開動作するようになっている。
【００２６】
一方、除湿器１８内に収納されている除湿器本体３８は、周知の除湿器が利用可能であり、避雷器ハウジング１４内まで延設された湿度検出手段として機能する湿度センサ４０の検出結果に基づいて、オン、オフ動作し、避雷器ハウジング１４内の湿度状態を、所望の状態、例えば、５０〜８５％の範囲に維持できるものであればよい。
【００２７】
除湿器本体３８を収納する除湿器ハウジング４２の側面には、除湿器本体３８が動作した際に開動作を行い、水分を含む空気を排気するための開閉弁４４が形成されている。図１の場合は、３個形成しているが、排気を良好に行える数であれば任意の数でよい。この開閉弁４４の詳細な構造については後述するが、除湿器本体３８が動作したときのみ開動作することにより、除湿器１８と連通路１６を介して連通した避雷器ハウジング１４内の湿度の変動、特に湿度上昇を抑制するように機能する。また、細い連通路１６を用いることで、除湿器１８の非動作時には、避雷器ハウジング１４内部と除湿器１８とを実質的に分離することが可能になり、避雷器ハウジングの湿度維持に寄与することができる。
【００２８】
除湿器１８内部には、除湿器本体３８および湿度センサ４０を駆動する湿度制御手段として機能する湿度制御部４６が配置されている。この湿度制御部４６の電源は、ライン４８を避雷器１０のＳ端子３２に接続し、避雷対象の電子機器に接続する電源から得る。なお、Ｎ端子５０は、基準となる端子で例えば、±０Ｖに接続する。
【００２９】
図２には、湿度制御部４６の構成を説明する概略説明図が示されている。湿度制御部４６は、ＡＣ−ＤＣ変換器５２を含み、避雷器１０を挿入する電子機器のＡＣ電源側、例えば＋１００Ｖまたは＋２００Ｖから、所望のＤＣ電源に変換する。図２の場合、例えば、湿度センサ４０用のＤＣ９Ｖと、除湿器本体３８用のＤＣ３Ｖに変換している。もちろん、ＡＣ−ＤＣ変換器５２は別途独立して配置してもよい。なお、本実施形態におけるＤＣ９Ｖは、湿度センサ４０の検出結果増幅用の回路を駆動するために準備したもので、増幅が不要な場合は、省略してもよい。
【００３０】
湿度制御部４６は、湿度センサ４０の湿度の検出結果に基づき、除湿器本体３８および開閉弁４４の動作をオン、オフする。具体的には、湿度センサ４０の検出結果に応じて動作するトグルスイッチ部５４と、このトグルスイッチ部５４の動作により動作するパワーリレー部５６を含んでいる。トグルスイッチ部５４は、湿度センサ４０から延びる湿度伝達子５８の伸縮により図中左右に移動する移動子６０を有している。なお、この移動子６０は、複数の支持ローラ６０ａにより支持されている。図２の場合、移動子６０の上下位置にそれぞれ２個ずつ配置しているが、移動子６０をスムーズに移動できる構成であれば、配置数は任意である。また、移動子６０をスムーズに移動できる構成であれば、移動子６０の支持方法も任意である。湿度伝達子５８は、湿度に応じて徐々に伸縮する機能を有し、湿度が設定した値、例えば８５％を越えた場合に所定量まで延び、移動子６０を図中左方向に移動することを許容し、スイッチ片６２が接点６４ａ側に倒れることを許容する。逆に、湿度伝達子５８は、湿度が設定した値、例えば５０％以下になった場合に所定量まで縮み、移動子６０を図中右方向に移動することを許容し、スイッチ片６２が接点６４ｂ側に倒れることを許容する。
【００３１】
トグルスイッチ部５４のスイッチ片６２及びその周辺の具体的構造例を図３に示す。図３の例では、燐青銅板ばねを用いて動作遅延型のスイッチ片６２を構成している。図３に示すように、燐青銅板ばねで形成されるスイッチ片６２は、中央片６２ａを形成するようにスリットが設けられている。一方、図２における移動子６０の先端部には、例えば、銀−タングステンの合金からなる接触子６０ａが、例えばろう付けなどの手段により接合されている。そして、この接触子６０ａをスリットに囲まれた中央片６２ａの先端にろう付けなどの手段により接続している。その結果、中央片６２ａは移動子６０によって、押し込まれたり引き戻されたりする。ばね性を有するスイッチ片６２は、移動子６０の移動によって図中矢印Ａ方向に押し込まれ、所定の限界値を超えると、スイッチ片６２の外郭部６２ｂが図３において「逆くの字」状に反り返るようになっている。逆に、移動子６０の移動によって図中矢印Ｂ方向に引き込まれ、所定の限界値を超えると、スイッチ片６２の外郭部６２ｂが「くの字」状に反り返るようになっている。スイッチ片６２に接続される移動子６０は図２におけるＡＣ−ＤＣ変換器５２のＤＣ３Ｖ側のグランドＧに接続されている。またスイッチ片６２は、上部の位置で絶縁材を介して、ハウジングなどの筐体１０２に固定されている。一方、スイッチ片６２の下端側は自由端であり、所定間隔で相対する接点６４ａ，６４ｂの間を揺動できるようになっている。接点６４ａは、図２に示すようにＤＣ３Ｖの＋端子に接続されている。一方、接点６４ｂは開放端となっている。なお、接点６４ａの先端部には、例えば、銀−タングステンの合金からなる接触子６４ｃが、例えばろう付けなどの手段により接合されている。一方、スイッチ片６２の外郭部６２ｂの下端部分にも例えば、銀−タングステンの合金からなる接触座６２ｃが、ろう付けなどの手段により接合されている。この接触座６２ｃは、接点６４ｂの先端部に接合された接触子６４ｃの直径より大きな面積で形成されている。上述のように移動子６０の先端部や接点６４ａの先端部、外郭部６２ｂの下端部に銀−タングステンの合金からなる接触子６０ａ，６４ｃ、接触座６２ｃを設けることにより、それぞれの接触部分における接触抵抗を少なくし、電流がスイッチ片６２を良好に流れるようにしてスイッチングをスムーズにできるようにしている。また、頻繁に接離を繰り返す接点６４ａと外郭部６２ｂとは、接触子６４ｃおよび接触座６２ｃにより接触抵抗を低下させることでスパークなどの発生による損傷を抑制している。
【００３２】
このように構成されるスイッチ片６２は、移動子６０によって、外郭部６２ｂが図３において、「逆くの字」状に反り返った場合、つまり、図３で示される状態になった場合、スイッチ片６２が接点６４ａに接続され、ＤＣ３Ｖの回路が閉じることになる。逆に移動子６０によって、外郭部６２ｂが図３において、「くの字」状に反り返った場合、スイッチ片６２が接点６４ａから離れ、開放端である接点６４ｂに接続され、ＤＣ３Ｖの回路が開く。なお、スイッチ片６２は、略中央部で支点バー１０４により表裏面から支点支持され、「逆くの字」及び「くの字」に反り返るようになっている。
【００３３】
図２に戻り、接点６４ａは、コイル６６を介してＤＣ３Ｖの＋端子に接続されている。一方、移動子６０は、ＤＣ３Ｖのグランド側に接続されている。したがって、湿度センサ４０の検出結果に応じて湿度伝達子５８が延びて、スイッチ片６２が接点６４ａに接触した場合、コイル６６を含む回路が閉じ、コイル６６にＤＣ３Ｖが印加される。その結果、コイル６６が巻回されている磁性シャフト６８が電磁石化して、移動接点７０を吸引し、開放接点７２を閉路する。その結果、除湿器本体３８にＡＣ−ＤＣ変換器５２のＤＣ３Ｖが印加され、除湿器本体３８が動作を開始する。つまり、避雷器ハウジング１４内の除湿を開始する。
【００３４】
例えば、ある時点で、スイッチ片６２が接点６４ｂに接触していたとする。つまり、除湿器本体３８は駆動していない状態であったとする。この状態で湿度が上昇し始めたとすると、前述したように湿度伝達子５８が伸び始め、移動子６０が図３の矢印Ａ方向にスライドし始め、中央片６２ａを押し始める。そして、移動子６０による押し込みが所定の限界値を超えた場合、スイッチ片６２の反り返り状態が「くの字」状態から「逆くの字」状態に反転し、接点６４ａ側に接触する。つまり、ＤＣ３Ｖの回路が閉じて、除湿器本体３８が駆動を開始する。スイッチ片６２が「逆くの字」に反転するときの移動子６０の押し込み移動量を例えば、湿度８５％の時の移動量と一致させておくことにより、湿度センサ４０が湿度８５％を検出したときに除湿器本体３８が駆動を開始するようにすることができる。したがって避雷器ハウジング１４内の湿度が８５％以上になった場合、除湿器本体３８が除湿動作を開始し、避雷器ハウジング１４内の湿度が８５％以上になることを抑制する。
【００３５】
除湿器本体３８が駆動を開始すると、湿度は８５％から下がり始め、それに伴い、湿度伝達子５８が縮み始め、移動子６０が図３の矢印Ｂ方向にスライドし始め、中央片６２ａを引き戻し始める。そして、移動子６０による引き戻しが所定の限界値を超えた場合、スイッチ片６２の反り返り状態が「逆くの字」状態から「くの字」状態に反転し、接点６４ｂ側に接触する。つまり、ＤＣ３Ｖの回路が開き、除湿器本体３８の駆動が停止する。スイッチ片６２が「くの字」に反転するときの移動子６０の引き戻し移動量を例えば、湿度５０％の時と移動量と一致させておくことにより、湿度が８５％に達した後、湿度が低下し５０％以下になるまで、除湿器本体３８の駆動を継続させることができる。
【００３６】
そして、除湿器本体３８が停止し、再び湿度が上昇し始めた場合、避雷器本体１２が正常に動作する湿度範囲、すなわち湿度８５％になるまで、上述のようにスイッチ片６２は、「くの字」状態を維持することになるので、スイッチ片６２と接点６４ａは接触することはない。したがって、除湿器本体３８が必要以上に駆動し電力を消費してしまうことを抑制することが可能となる。なお、接点６４ｂは回路を開くための端子なので、必ずしも設ける必要はない。また、支点バー１０４および接点６４ａ，６４ｂを支持する支持バー１０６には、アジャスタ１０８が設けられている。したがって、スイッチ片６２を左右から挟み込む間隔や接点６４ａ，６４ｂの対向間隔を調整することによりスイッチ片６２の反り返りタイミングを変化させることができる。その結果、湿度の変化に対するスイッチ片６２の切り替わりタイミングを調整することができる。例えば、湿度６０％〜８０％の間で、上述したようなスイッチ片６２の切り替えを行うことが可能になる。
【００３７】
ところで、除湿器本体３８にＤＣ３Ｖを印加する配線は、途中で分岐し開閉弁４４を開閉動作するモータ７４に接続されている。したがって、除湿器本体３８の駆動に同期して開閉弁４４も駆動するようになっている。開閉弁４４には、図４に示すように、例えば付勢手段としてリターンスプリング７６が配置され、常時開閉弁４４を閉動作するようにしている。この場合、除湿器本体３８の駆動時には、モータ７４が駆動し開閉弁４４をリターンスプリング７６の付勢力に逆らい開動作し、除湿器本体３８の駆動による排気を許容する。一方、除湿器本体３８の非動作時には、リターンスプリング７６の付勢力により開閉弁４４が閉動作を行い、除湿器ハウジング４２を介して避雷器ハウジング１４へ湿気が侵入することを抑制する。開閉弁４４が接触する除湿器ハウジング４２の排気窓４２ａの周囲には、開閉弁４４の閉動作時の密閉性を向上すると共に、絶縁性を確保するために、軟質樹脂のシール、例えば、シリコーンゴムシール７８が配置されている。シリコーンゴムシール７８は、耐湿性があること、また開閉弁４４の繰り返し開閉動作に伴う変形に耐えらえる点などを考慮して選択したが、同様な機能を有する材質であれば任意に変更可能である。なお、モータ７４は、モータ本体７４ａとモータ本体７４ａの出力軸に装着されたギア７４ｂ、およびギア７４ｂに噛合するギア７４ｃ、開閉弁４４に装着されギア７４ｃと噛合するギア７４ｄなどを含んでいる。もちろん、開閉弁４４の開閉には、モータ以外の任意のアクチュエータが利用可能である。また、開閉弁４４もヒンジ回転式以外にスライド式など任意の開閉方法を採用することができる。
【００３８】
図２には、モータ７４を１つしか図示していないが、図１に示すように、複数のモータ７４が並列に接続され、複数の開閉弁４４が同期して動作するように構成され効率的な排気を行うようになっている。
【００３９】
図５には、前述した開放弁３６の詳細が示されている。開放弁３６は、回転軸３６ａを中心に回動可能であると共に、付勢手段として例えばリターンスプリング８０によって、常時閉動作するように付勢されている。また、避雷器ハウジング１４に形成された放圧窓１４ａの周囲には、シール部材として、例えば絶縁性を有するフッ素樹脂リング８２が配置されている。開放弁３６は、常時リターンスプリング８０によりフッ素樹脂リング８２に押圧され、放圧窓１４ａを閉状態とし避雷器ハウジング１４内の湿度が上昇することを抑制している。そして、前述したように雷サージ等の異常電圧が発生し内部圧力が増加した場合にのみリターンスプリング８０の付勢力に逆らって開放弁３６を開動作するようになっている。もちろん、避雷器本体１２の動作を検出して、アクチュエータを動作させ、開放弁３６を動作させてもよい。
【００４０】
本実施形態の除湿器付きの避雷器１０は上述したように構成され、避雷器ハウジング１４内の湿度に応じて除湿器本体３８を動作させて、避雷器ハウジング１４内の除湿を行うので、避雷器１０が設置される場所の湿度環境に左右されることなく、避雷器本体１２を収納する避雷器ハウジング１４内の湿度を所定範囲、例えば５０％〜８５％に維持し、避雷器本体１２が良好に動作するように保つことができる。その結果、避雷器１０を接続した電子機器の雷サージに対する保護信頼性を向上、維持することができる。
【００４１】
また、本実施形態のように、湿度が所定値、例えば８５％を越えた場合に除湿器本体３８を動作させ、湿度５０％以下のなるまで動作させることにより、必要以上に除湿器本体３８がオンオフ動作することを抑制し効率的なエネルギ利用を行う行うことができると共に、湿度が８５％を越えた場合に、一度湿度を５０％まで低下させるので、それ以降しばらくの間除湿器本体３８を動作させることなく避雷器本体１２の動作保証を行うことができる。
【００４２】
なお、上述に説明では、避雷器ハウジング１４内に配置する湿度センサ４０として伸縮タイプを用い、トグルスイッチ部５４を動作させる例を説明したが、用いる湿度センサやトグルスイッチの動作形態は任意に変更可能である。例えば湿度８５％以上でオン動作を行い、湿度５０％以下でオン状態からオフ動作に切り替わる信号を出力する湿度センサを用いてもよい。また、湿度センサ自体も任意のタイプが利用可能であり、例えば、伸縮タイプに代え電気抵抗式湿度センサや他の構造の湿度センサを用いても同様な効果を得ることができる。また、これらのセンサーから連続的に出力される湿度情報に基づき、湿度８５％以上でオン動作を行い、湿度５０％以下でオン状態からオフ動作に切り替わるトグルスイッチなどを利用してもよく、本実施形態と同様な効果を得ることができる。また、除湿器本体３８のオン動作の基準として、湿度８５％、オフ動作の基準として湿度５０％を例として示したが、利用環境や、避雷器本体１２の特性などに基づき適宜変更設定することが好ましい。
【００４３】
また、図１で示した避雷器本体１２の構成や除湿器本体３８の構成は一例であり、同様な避雷機能や除湿機能を有する機器であれば、利用可能であり本実施形態と同様な効果を得ることができる。
【００４４】
さらに、図２に示す回路構成も一例であり、湿度センサ４０の検出結果に基づき、除湿器本体３８や開閉弁４４を動作させることのできる構成であれば、適宜構成変更が可能であり、本実施形態と同様な効果を得ることがでる。また、図３に示す燐青銅板ばねを用いた動作遅延型のスイッチ片６２の構造も一例であり、同様な動作が可能なスイッチ構造であれば、適宜変更しても本実施形態と同様な効果を得ることができる。もちろん、電気的に同様な遅延スイッチングを行う回路を採用してもよい。同様に、図４、図５に示す開閉弁４４、開放弁３６の構成も適宜変更可能であり、除湿タイミングや放圧タイミングで弁が開き、それ以外の時には各ハウジング内の湿度上昇を抑制するように閉動作するものであればよく、本実施形態と同様な効果を得ることができる。
【図面の簡単な説明】
【００４５】
【図１】本実施形態に係る避雷器の構成を説明する断面図である。
【図２】本実施形態に係る避雷器の除湿器および開閉弁を動作させる構成を説明する説明図である。
【図３】本実施形態に係る避雷器の除湿器および開閉弁を動作させるトグルスイッチ部の構造例を説明する説明図である。
【図４】本実施形態に係る避雷器の除湿器に設けられた開閉弁の構成を説明する説明図である。
【図５】本実施形態に係る避雷器の放圧用の開放弁の構成を説明する説明図である。
【符号の説明】
【００４６】
１０  避雷器、１２  避雷器本体、１４  避雷器ハウジング、１４ａ  放圧窓、１６  連通路、１８  除湿器、３２  Ｓ端子、３４  Ｅ端子、３６  開放弁、３８  除湿器本体、４０  湿度センサ、４２  除湿器ハウジング、４２ａ  排気窓、４４  開閉弁、４６  湿度制御部、５０  Ｎ端子、５２  ＡＣ−ＤＣ変換器、５４  トグルスイッチ部、５６  パワーリレー部、５８  湿度伝達子、６０  移動子、６０ａ  支持ローラ、６２  スイッチ片、６４ａ，６４ｂ  接点、６６  コイル、６８  磁性シャフト、７０  移動接点、７２  開放接点、７４  モータ。
【図１】
2006127820.tif 000003
【図２】
2006127820.tif 000004
【図３】
2006127820.tif 000005
【図４】
2006127820.tif 000006
【図５】
2006127820.tif 000007